(57)【要約】【課題】  クリップ体付き連結体に繋がれたキーホルダーにおいて、利用者の身辺にぶら下った鍵を連結体止め元に手繰り上げてワンタッチで定着させる事の出来るキーホルダーにすること。【解決の手段】  連結体１の両端子に接続するクリップ体２、２ａで、当該片方の金属バネ性のクリップ体２は鍵Ａに結合し、他方のクリップ体２ａを利用者側の身辺Ｃに装着してなるキーホルダーに於いて、前記連結体で、身辺のクリップ体２ａ側の端子に磁石３を結合した構成とする。【選択図】図１
2015000329.tif 000002
【特許請求の範囲】
【請求項１】
連結体（１）の両端子に接続するクリップ体（２）、（２ａ）で、当該片方の金属バネ性のクリップ体（２）は鍵（Ａ）に結合し、他方のクリップ体（２ａ）を利用者側の身辺（Ｃ）に装着してなるキーホルダー（Ｂ）に於いて、前記連結体で、身辺のクリップ体（２ａ）側の端子に磁石（３）を結合したことを特徴とする鍵保持具。
【請求項２】
前記する連結体（１）を伸縮自在な熱可塑性ポリウレタン樹脂材等のクッション体でなる連結体（１０１）にしたことを特徴とする請求項１記載の鍵保持具。
【請求項３】
前記する連結体（１０１）のムク素材をチュウブ体にし、中空部内に弛ませた糸状の芯材（４）を貫通させ、複線でなる連結体（１０２）にしたことを特徴とする請求項２記載の鍵保持具。
【発明の詳細な説明】
【技術分野】
【０００１】  この発明は、携帯するキーホルダーに関し、詳しくは、腰などに長い連結体に吊り下げた鍵を収納する為に、連結体を手繰り上げ身体の止め元に鍵を保持し、鍵の出し入れ操作をワンタッチで出来る連結体で且つ、伸縮自在で軽量、長寿命の連結体を具備したキーホルダーに関する。
【背景技術】
【０００２】  この種従来の技術として、鍵を吊るす連結体は様々な形態で具現化され、繊維の紐、皮性のストラップ、金属製のチエンが使われ、これらの連結体の片方端子に設けたバネ性クリップに鍵が付けられ、他方端子に設けたクリツプは使用者のズボンのベルト止めに差し込んで保持され、鍵が使用者の身体の止め元に吊るされる。この長い連結体は手繰り上げられて連結体の先端の鍵が止め元に引っ掛けられ、そして、玄関ドア等の鍵の開閉は連結体を身体に吊るしたまま止め元に設けたフックに掛けられた鍵のリングを取り外して連結体は自然長で鍵の操作が身元からやや離れた遠隔操作で使われる。また短い連結体に吊るした鍵ではズボンのポケットに鍵をじかにしまい込んで連結体の鍵をポケットから出し入れして身辺の鍵の操作を行っている。
【発明の開示】
【発明が解決しようとする課題】
【０００３】  しかしながら、上述の連結体に吊るした鍵は腰周りの止め元の連結体にフックを付け吊るした連結体を手繰り上げ、鍵のリング体を止め元のフックに引っ掛けて鍵を保持する為、引っ掛け部の双方の位置関係を手探りか、眼配りで探しながら鍵の掛け外し操作が必要である等の不便さがある。更には、人ごみなどで体の動きで鍵は止め元のフックから外れるなどで、鍵のぶら下がりで思わず、支障を来たしてしまうなどの不具合が有った。【０００４】  更には、又別の使い方として短い連結体を使い、止め元近くのズボンポケットに出し入れして使う鍵は、遠隔での玄関ドアの開き閉めは止め元に連結体を下げたまま使うに、不向きで止め元から鍵を取外すなどしてし使う為、わずらわしさがあり、そんな事から、元より連結体を身体の止め元に固定したまま鍵の引っ掛けを手探りや目配りでなどの手間のかからないそして、鍵が外れてぶら下がるなどのない、安全で利便性の高い鍵の保持具が強く要望されていた。そして又、ポケットにしまった鍵を取り出して使うのに、吊るした鍵を止め元からはずさずに止めたまま遠隔な鍵操作に使える鍵の保持具が強く要望されていた。
【課題を解決するための手段】
【０００５】  この発明は、かかる課題を解決する為に、請求項１での発明は、図１での全体を示しての斜視図で述べるに、連結体１の両端子に接合するクリップ体２，２ａで、当該片方の金属バネ性のクリップ体２は鍵Ａに結合し、他方のクリップ体２ａを利用者側の身辺Ｃに装着してなるキーホルダーＢにおいて、前記連結体で身辺止め元のクリップ体２ａ側の端子に磁石３を結合した構成とする。
次に、請求項２での発明を前記請求項１での同じ図１での全体を示しての斜視図で述べるに、前記する連結体を伸縮自在な熱可塑性ポリウレタン樹脂材等のクッション体でなる連結体１０１に構成する。
次に、請求項３での発明を図２での全体を示しての斜視図で述べるに、前記する連結体１０１のムク素材をチュウブ体にし、中空内部に弛ませた糸状の芯材４を貫通させ、複線でなる連結体１０２にした構成とする。
【発明の効果】
【０００６】  本発明は上述の通り構成作用するので、次の優れた効果を奏する。
即ち、請求項１での効果は連結体の止め元側に装着した磁石に、ぶら下がる鍵部を手繰り上げて即座に吸着させ固定が出来、ぶら下がる連結体を短縮出来る、コンパクトな鍵保持具を提供出来る。
次に、請求項２での効果は連結体をクッション体にする事で、比較的短めの連結体でも、止め元から鍵を取り外さずに連結体を引き伸ばして遠隔操作の出来る鍵保持具を提供出来る。
次に、請求項３での効果は、前記クッション体は、強靭な芯材の長さに伸びが抑えられ、クッション体が繰り返しの伸び縮みで、劣化したり切断すしたりする事の無い安全で長寿命な鍵保持具を提供出来る。
【発明を実施するための最良な形態】
【０００７】  以下に図示の実施例に基づいて本発明を更に詳細に説明する。
即ち、図１はキーホルダーＢに於いて、本発明の第１実施例での全体を示しての鍵Ａを利用者側の身辺Ｃの止め元側の連結体１に設けた磁石３に吸着固定での斜視図で、細長い鍵を吊るす為の連結体１の片方の端子はジョイント１ａにリング体１ｂが接続され、該リング体に接続されたバネ性の鋼材でなるクリップ体２に着脱自在に鍵Ａが吊るされ、連結体の他方の端子にはリング状の磁石３が差し込まれて接続するジョイントにリング体が接続され、該リング体はクリップ体２ａに接続され、利用者の身辺Ｃの止め元に吊るされる。
【０００８】  そして、前記する連結体は様々な材質や長さ等でファッションを兼ねて用途別に市販されるが、比較的長い該連結体を利用者の身辺の止め元に取り付けた状態で鍵の開け閉めに利用するもので、遠隔操作時に個別に鍵を止め元から外さず使用の出来る利便性を配慮する為、比較的長い連結体は止め元にぶら下がった鍵を止め元で支える為、連結体を手繰り上げて鍵を止め元側に設けた磁石に吸着させ固定させ、且つ使用時は即座に鍵を吸着から取り離しの出来る構成である。鍵の着脱を容易にし安全に保護する為に連結体の止め元側に装着した磁石は、鍵を繋ぐクリップ体は鉄製の磁性体でなるバネ性が吸着する事で鍵は摘んだままクリップ体を固定も出来、摘んで取り外す事も出来る、利便性の高い鍵保持具を具現化している。
【０００９】  また同じく図１は本発明での第２実施例での全体を示しての斜視図で、鍵を吊るす為の連結体１０１の材質を丸線材でなる伸縮自在な熱可塑性ポリウレタン樹脂材等のクッション体にし、伸縮する事で、比較的短い連結体を使う事が出来、遠隔操作の出来る鍵保持具にすることで、連結体は止め元にぶら下げたまま携帯して使う事に便利である構成とする。従来の伸縮で成る連結体は密着巻きのバネ性樹脂材コイル状を伸縮すら構成が一般的に使用されるが、過剰な引っ張りに塑性変形しバネ性が失うな等の課題やコイル状の輪形が太くなる等の欠点が有る。
【００１０】  次に、図２は本発明での第３実施例での全体を示しての斜視図で、伸縮自在な熱可塑性ポリウレタン樹脂材等のクッション体でなるチュウブ体にし、該チュブ体の中空部内に絡ませた糸状の芯材４を貫通させ、複線でなる連結体１０２にし、チュウブ体が伸び縮みの繰り返しで、伸びきってヘタル事を防ぎ、更には、突如として破損する事を防ぐ、強靭な芯材がチュブ体の中空部内で突っ張る所定の長さで、弛んで内臓された構成とする。
【図面の簡単な説明】
【００１１】
【図１】  本発明に係わる第１実施例及び第２実施例での全体を示しての使用例での斜視図である。
【図２】  本発明に係わる第３実施例での全体を示しての斜視図である。
【符号の説明】
【００１２】Ａ    鍵
Ｂ    キーホルダー
Ｃ    身辺
１、  １０１、１０２    連結体
２、  ２ａ  クリップ体
３    磁石
４    芯材
【図１】
2015000329.tif 000003
【図２】
2015000329.tif 000004